(57)【要約】【課題】  搬送路を駆動させることなく、回転部材の回転により遊技媒体を略水平方向に搬送することができるため、遊技媒体搬送装置を含めた遊技機島の高さを低く抑えることができる。また、回転部材が損傷した場合には、その部分のみ交換することで対応することができ、保守点検を迅速且つ容易に実施することができ部品点数が少なく、コスト的にも有利な遊技媒体搬送装置を提供する。【解決手段】  搬送方向に下り傾斜した複数の傾斜面と、隣設する該傾斜面の頂辺と下辺とを接続する湾曲部とを形成した搬送路面を有する搬送路と、前記湾曲部と上方に離間して配設され、外周に前記搬送路の幅方向に形成した遊技媒体搬送部を有する回転部材と、前記回転部材の駆動機構を備え、上流の傾斜面上から転送された遊技媒体を前記湾曲部の表面と前記遊技媒体搬送部との間に収容した状態で前記回転部材の回転により下流の傾斜面上に揚送したものである。【選択図】図３
2007301334.tif 000002
【特許請求の範囲】
【請求項１】
遊技機と遊技媒体貸機を交互に配置した遊技機島の上部に架設され、遊技媒体を略水平方向に搬送する遊技媒体搬送装置であって、
前記遊技媒体搬送装置は、搬送方向に下り傾斜した複数の傾斜面と、隣設する該傾斜面の頂辺と下辺とを接続する湾曲部とを形成した搬送路面を有する搬送路と、
前記湾曲部と上方に離間して配設され、外周に前記搬送路の幅方向に形成した遊技媒体搬送部を有する回転部材と、
前記回転部材の駆動機構を備え、
上流の傾斜面上から転送された遊技媒体を前記湾曲部の表面と前記遊技媒体搬送部との間に収容した状態で前記回転部材の回転により下流の傾斜面上に揚送した
ことを特徴とする、遊技媒体搬送装置。
【請求項２】
前記傾斜面の側部に補給シュートを配設するとともに該補給シュートを介して前記傾斜面上を転送する遊技媒体を遊技機と遊技媒体貸機の少なくとも一つに供給した
ことを特徴とする、請求項１項に記載の遊技媒体搬送装置。
【請求項３】
前記回転部材は、搬送路の幅方向に半円筒状の長溝を複数本形成し、前記遊技媒体を該長溝の底部と前記湾曲部の表面との間に収容した状態で前記回転部材の回転により下流の傾斜面上に揚送した
ことを特徴とする、請求項１項乃至請求項２項の何れかに記載の遊技媒体搬送装置。
【請求項４】
前記回転部材は、搬送路の幅方向に回転翼を形成した水車状を成し、この回転翼間と前記湾曲部の表面との空間に遊技媒体を収容した状態で前記回転部材の回転により下流の傾斜面上に揚送した
ことを特徴とする請求項１項または請求項２項に記載の遊技媒体搬送装置。
【請求項５】
前記湾曲部の表面に払拭部材を配設した
ことを特徴とする請求項１項乃至請求項４の何れかに記載の遊技媒体搬送装置。
【請求項６】
前記回転部材を払拭部材で形成した
ことを特徴とする請求項１項乃至請求項５の何れかに記載の遊技媒体搬送装置。
【請求項７】
前記傾斜面上の前記補給シュートより上流に分流ガイドを形成した
ことを特徴とする請求項１項乃至６項の何れかに記載の遊技媒体搬送装置。
【発明の詳細な説明】
【技術分野】
【０００１】  本発明は、遊技媒体を搬送供給するための遊技媒体搬送装置、特に、搬送通路を駆動させることなく遊技媒体を搬送する遊技媒体搬送装置に関する。
【背景技術】
【０００２】  一般的に、遊技機や遊技媒体貸機に遊技媒体を搬送供給するための搬送装置は、遊技機島の上方に傾斜させて配設して、その傾斜を利用して補給タンクから補給経路内に供給された遊技媒体を補給経路の内部を上流から下流方向に下るようにして、その間に遊技媒体を各々の遊技機に供給していた。しかしながら、このような傾斜した補給経路を有する搬送装置を備えた遊技機島は、遊技機島の上部が高く、しかも大きくなる傾向にある。このことは、遊技媒体の供給量が多く、また、補給経路が長くなるほど顕著に現れる傾向にある。このため、大型化された遊技機島がホールに取付けられた防犯カメラの視界を遮る場合や、照明による影の部分が多く、その影を解消するために照明の数を増やす必要が生じる等の問題点があるばかりか、遊技場の内装設備等の設計自由度を阻害する恐れがあった。【０００３】  この問題点を解決するために、特許第２５１８４９０号（特許文献１）のように固定経路部を流下してきたパチンコ玉を、駆動ローラ２２（特許文献１中の符号）と、従動ローラ２３（特許文献１中の符号）と、その間に掛け渡された水平搬送ベルト２１（特許文献１中の符号）よりなる搬送装置を設け、駆動モータ２６（特許文献１中の符号）によって、該水平搬送ベルト２１（特許文献１中の符号）を回転駆動させて、遊技媒体を水平搬送ベルト２１（特許文献１中の符号）によって水平に搬送する構成が開示されている。【０００４】  そして、この構成では、補給経路１０（特許文献１中の符号）の側部に設けた分離器４１（特許文献１中の符号）と、この分離器４１に隣設した膨出側壁４４（特許文献１中の符号）によって、水平搬送ベルト２１（特許文献１中の符号）で送られてきたパチンコ玉を振り分けてパチンコ玉をパチンコ機２（特許文献１中の符号）に供給していた。【０００５】  この出願の発明に関連する先行技術文献としては次のものがある。
【特許文献１】特許第２５１８４９０号（特開平６−３９１３６）
【非特許文献１】なし
【発明の開示】
【発明が解決しようとする課題】
【０００６】  しかしながら、このような水平搬送ベルト２１（特許文献１中の符号）によってパチンコ玉を搬送する搬送構造は、遊技機島の上部に補給経路を傾斜させた搬送装置を配設した場合に対して、遊技機島の上部が高く、且つ、大きくなる問題点や遊技機島が防犯カメラの視界を阻害すること、遊技場の内装設備等の設計自由度を阻害すること等の問題点は解消されるが、搬送装置（水平搬送ベルト２１（特許文献１中の符号））自体を駆動する構成のため、長い遊技機島への対応が困難であるばかりか、水平搬送ベルト２１（特許文献１中の符号）に不都合が生じた場合には装置全体を停止させて修理する必要がある等、装置の構築、保守点検が容易でなく、しかも、水平搬送ベルトを張設するテンションローラ２４（特許文献１中の符号）やベルト支持部材２５（特許文献１中の符号）等の部品が必要となり、部品点数が増加してコストアップの要因となる恐れがあった。更に、水平搬送ベルト２１は、駆動ローラ２２（特許文献１中符号）と従動ローラ２３との間に無端状態で掛け渡されている。このため水平搬送ベルト２１（特許文献１中符号）の上側面を使用してパチンコ玉の搬送を行うにも係わらず装置として水平搬送ベルト２１（特許文献１中符号）下側面の収納スペースを確保する必要があり、遊技機島の上部の高さを低くするには限度があった。【０００７】  更に、パチンコ玉は、樽状のテンションローラ２４（特許文献１中の符号）と板状のベルト支持部材２５（特許文献１中の符号）とを交互に設けて保持されている水平搬送ベルト２１（特許文献１中符号）を経由して補給経路１０（特許文献１中の符号）の側部に形成された玉待機経路部４０（特許文献１中の符号）に転出される。そして、その後に膨出側壁４４（特許文献１中符号）によって、分離器４１（特許文献１中符号）に振り分けられていた。従って、パチンコ玉の搬送流は、水平搬送ベルト２１（特許文献１中の符号）から樽状のテンションローラ２４（特許文献１中の符号）の傾斜面を流れ、一旦玉待機経路部４０（特許文献中１の符号）に転出されたパチンコ玉は、後から搬送されてくるパチンコ玉の押圧力によって分離器４１（特許文１献中符号）へ振り分けられるものであるからパチンコ機２（特許文献１中の符号）の作動状態に対して機敏に対応することが困難であった。【０００８】  本発明は、上記の問題を解決するためになされたものであり、その目的は、搬送路を駆動することなく遊技媒体を略水平方向に搬送することによって、遊技機島の高さを低く抑えることができ、しかも装置構築、保守点検が容易であり、しかも、部品点数が少なく、コスト的に有利な遊技媒体搬送装置を提供するものである。
【課題を解決するための手段】
【０００９】  上記課題を解決するため、本発明においては、遊技機と遊技媒体貸機を交互に配置した遊技機島の上部に架設され、遊技媒体を略水平方向に搬送する遊技媒体搬送装置であって、前記遊技媒体搬送装置は、搬送方向に下り傾斜した複数の傾斜面と、隣設する該傾斜面の頂辺と下辺とを接続する湾曲部とを形成した搬送路面を有する搬送路と、前記湾曲部と上方に離間して配設され、外周に前記搬送路の幅方向に形成した遊技媒体搬送部を有する回転部材と、前記回転部材の駆動機構を備え、上流の傾斜面上から転送された遊技媒体を前記湾曲部の表面と前記遊技媒体搬送部との間に収容した状態で前記回転部材の回転により下流の傾斜面上に揚送したものである。【００１０】  このことにより、搬送路自体を駆動させることなく、回転部材の回転により遊技媒体を略水平方向に搬送することができるため、遊技媒体搬送装置を含めた遊技機島の高さを低く抑えることができる。また、回転部材が損傷した場合には、その部分のみ交換することで対応することができ、保守点検を迅速且つ容易に実施することができ部品点数が少なく、コスト的にも有利である。【００１１】  次の発明は、前記傾斜面の側部に補給シュートを配設するとともに該補給シュートを介して前記傾斜面上を転送する遊技媒体を遊技機と遊技媒体貸機の少なくとも一つに供給したものである。【００１２】  このことにより、前記傾斜面上を転送する遊技媒体と下流の回転部材によりせき止められた遊技媒体の押圧により遊技媒体が前記傾斜面の側部に配設されている補給シュート側に押し出され効率的に補給シュートに送り込まれ、結果として遊技媒体は、遊技機と遊技媒体貸機の少なくとも一つに有効に供給される。【００１３】  更に、次の発明は、前記回転部材は、搬送路の幅方向に半円筒状の長溝を複数本形成し、前記遊技媒体を該長溝の底部と前記湾曲部の表面との間に収容した状態で前記回転部材の回転により下流の傾斜面上に揚送したものである。【００１４】  このことにより、遊技媒体を確実に下流の傾斜面の頂辺側に揚送するとともに回転部材の遠心力により強く吐き出すことができ搬送スピードの向上が期待できる。【００１５】  更に、次の発明は、前記回転部材は、搬送路の幅方向に回転翼を形成した水車状を成し、この回転翼間と前記湾曲部の表面との空間に遊技媒体を収容した状態で前記回転部材の回転により下流の傾斜面上に揚送したものである。【００１６】  このことにより、遊技媒体の搬送量を増加させることができる。【００１７】  更に、次の発明は、前記湾曲部の表面に払拭部材を配設したものである。【００１８】  このことにより、遊技媒体の搬送中に遊技媒体に付着した埃、油分などが払拭され、常に遊技媒体を清潔な状態に維持することができ遊技者に不快感を与える恐れを少なくできる。【００１９】  更に、次の発明は、前記回転部材を払拭部材で形成したものである。【００２０】  このことにより、遊技媒体の搬送中に遊技媒体に付着した埃、油分などを払拭することにより、常に遊技媒体を清潔な状態に維持することができ遊技者に不快感を与える恐れが少なくなるばかりか、回転部材を交換することにより払拭性能の向上を容易に図ることができる。【００２１】  更に、次の発���は、前記傾斜面上の前記補給シュートより上流に分流ガイドを形成したものである。【００２２】  このことにより、遊技媒体を補給シュートに導くことができ、遊技媒体を効率的に遊技機と遊技媒体貸機の少なくとも一つに供給することができる。
【発明の効果】
【００２３】  以上のように、本発明によれば、遊技機と遊技媒体貸機を交互に配置した遊技機島の上部に架設され、遊技媒体を略水平方向に搬送する遊技媒体搬送装置であって、前記遊技媒体搬送装置は、搬送方向に下り傾斜した複数の傾斜面と、隣設する該傾斜面の頂辺と下辺とを接続する湾曲部とを形成した搬送路面を有する搬送路と、前記湾曲部と上方に離間して配設され、外周に前記搬送路の幅方向に形成した遊技媒体搬送部を有する回転部材と、前記回転部材の駆動機構を備え、上流の傾斜面上から転送された遊技媒体を前記湾曲部の表面と前記遊技媒体搬送部との間に収容した状態で前記回転部材の回転により下流の傾斜面上に揚送することにより、搬送路自体を駆動させることなく、回転部材の回転により遊技媒体を略水平方向に搬送することができるため、遊技媒体搬送装置を含めた遊技機島の高さを低く抑えることができる。また、回転部材が損傷した場合には、その部分のみ交換することで対応することができ、保守点検を迅速且つ容易に実施することができ部品点数が少なく、コスト的にも有利な遊技媒体搬送装置を提供することができる。
【発明を実施するための最良の形態】
【００２４】  以下、本発明を実施するための最良の形態を、図面に基づいて説明する。図１は、本発明の遊技媒体搬送装置を示した要部概略平面図である。図２は、本発明の遊技媒体搬送装置を示した要部水平方向断面である。図３は、本発明の回転部材を示した要部概略斜視図である。図４は、本発明の遊技媒体搬送装置における別の回転部材を示した斜視図である。図５は、本発明の遊技媒体搬送装置を配設した遊技機島を示した斜視図である。【００２５】  本発明の遊技媒体搬送装置１は、図５に示すように複数の遊技機２と該遊技機２の間に配設された遊技媒体貸機３から構築された遊技機島１００の上方に架設されている。そして、この遊技機島の中央には、遊技媒体４（図５参照）の貯留タンク５が設けられていて、貯留タンク５に貯留されている遊技媒体４を必要に応じて遊技媒体搬送装置１に供給する。遊技媒体搬送装置１は、この供給された遊技媒体４を遊技機島の下流に搬送する。そして、この搬送過程で遊技媒体４を補給シュート６（図１、図２参照）から遊技機２と遊技媒体貸機３の少なくとも一つに供給している。【００２６】  以下、遊技媒体搬送装置１の詳細を図に基づいて説明する。図１、図２に示すように、遊技機島１００に配設された遊技機２と遊技媒体貸機３の上部に架設された遊技媒体搬送装置１は、搬送路１０と回転部材２０と該回転部材２０の駆動機構３０とで構成されている。【００２７】  搬送路１０は、遊技媒体４を転送する搬送路面１１と該搬送路面１１の側部に立設された側壁１７とを備えている。この搬送路面１１には、搬送方向に下り傾斜した複数の傾斜面１２と下流側に隣設する該傾斜面の頂辺１２ａと上流側に隣設されている傾斜面１２の下辺１２ｂとを接続する湾曲部１３とが形成されている。この搬送路面１１は、前述の傾斜面１２と湾曲部１３を上面に形成したブロックを複数連結して形成しているが、一体の長い床面に複数個の傾斜面１２と湾曲部１３を形成することも可能である。そして、これらの複数の頂辺１２ａ同士を結ぶ線と複数の下辺１２ｂ同士を結ぶ線は各々水平を成している。（尚、水平とは、図５に示す遊技機島１００の設置面と平行な面を言う）。従って、各ブロックの頂辺１２ａ側から放出された遊技媒体４は傾斜面１２上を下辺１２ｂ方向に転がって行く。また、この搬送路面１１の両側には、搬送路面１１の上流から下流にかけて側壁１７が立設されている。この側壁１７には、回転部材２０の回転軸２２が貫通する孔１７ａが形成されている。この孔１７ａには、前述の回転部材２０の回転軸２２が貫通され、その回転軸２２は側壁１７の外側に設けた軸受２３に回転可能に軸止される。【００２８】  回転部材２０は、搬送路１０の幅方向に長い円柱形に形成された円柱本体２１と、この円柱本体２１の中心に形成された貫通孔２１ａに嵌合固着された回転軸２２を備えている。この円柱本体２１の外周には、遊技媒体搬送部が形成されている。この実施例では、長手方向（搬送路面１１の幅方向）に形成された４本（円周９０度間隔）の半円筒形状の長溝２４が該当する。また、この回転部材２０は、その回転軸２２を側壁１７に形成されている孔１７ａから側方に貫通させ、側壁１７の外側に設けた軸受２３に回転可能��軸止させている。また、この回転軸２２の一端には、側壁１７と軸受２３（回転ギア３１側の軸受２３は図示省略）の間に固着された駆動機構３０の回転ギア３１を備えている。【００２９】  駆動機構３０は、各々の回転部材２０の回転軸２２に固着された回転ギア３１と各回転ギア３１に巻架された回転ベルト３２と回転ギア３１を回転させるモータ（図示しない）とで構成されている。【００３０】  前述の回転部材２０は、円柱本体２１の外周が、搬送路１０の湾曲部１３の湾曲面に対向するように側壁１２間に配設されている。そして、円柱本体２１の外周と湾曲部１３の湾曲面との間に遊技媒体４が重ならない間隔に遊技媒体４の揚送路１４が画成されている。【００３１】  一方、前述した搬送路１０の傾斜面１２側部には、補給シュート６が配設されており、傾斜面１２に転送された遊技媒体４を遊技機２と遊技媒体貸機３の少なくとも一つに供給している。また、傾斜面１２の上面には、分流ガイド１５が取付けられている。この分流ガイド１５は、三角形状のブロックで頂点を回転部材２０側に向けて配置しており、その頂点で分流された遊技媒体４が補給シュート６に導かれる位置に取付けられている。【００３２】  貯留タンク５に貯留されている遊技媒体４は、先ず、遊技媒体搬送装置１の搬送路１０の貯留タンク５側に流出され、傾斜面１２の頂辺１２ａから下辺１２ｂ方向に転がり落ちる。そして、貯溜タンク５から島端までの搬送路１０上に一時滞留される。遊技機２または遊技媒体貸機３から遊技媒体４の補給要請があると回転部材２０が回転して一時滞留されている遊技媒体４を隣設する傾斜面１２の頂辺１２ａに揚送する。このとき、遊技媒体４は、遊技媒体搬送部である半円筒形状の長溝２４の内部に大量に収容、揚送され隣設する傾斜面１２の頂辺１２ａ上面に放出される。尚、長溝２４の形状は、半円筒状に限定されるものでなく、矩形の凹溝などのように遊技媒体４が収まる形状ならば良い。【００３３】  このようにして回転部材２０の回転によって、傾斜面１２の上面に放出された遊技媒体４は、傾斜面１２の傾斜により下辺１２ｂ方向に転送される。転送された遊技媒体４は、その途中で分流ガイド１５に沿って補給シュート６に導かれ、遊技機２または遊技媒体貸機３に送り出される。このようにして、順次、遊技媒体４は、下流に転送され、最も下流に形成された傾斜面１１から上流方向に貯留される。尚、この実施例では、遊技媒体搬送装置１の最下流側を堰止めした遊技機島に配置しているが、遊技媒体４をその部分から遊技機島の下方に配置した搬送装置（図示しない）に吐き出し、再度補給タンク５に循環させる循環タイプの遊技機島に配置することもできる。また、本発明は隣接する遊技機島間で遊技媒体を搬送するいわゆる島渡しにも使用できることは言うまでもない。【００３４】  図４は、遊技媒体搬送装置１の第２実施例を示したもので、この実施例では、回転部材２０を搬送路の幅方向に形成した回転翼２５を備えた水車状に構成したもので、この回転翼２５間と湾曲部１３の表面との間の空間２６に遊技媒体４を収容したものである。この実施例では、遊技媒体４の搬送量の増加が図れる。【００３５】  また、払拭部材１６は、湾曲部１３の表面に貼着されている。このように払拭部材１６を湾曲部１３に貼着することによって、遊技媒体４を揚送する際に払拭部材１６と接触させ遊技媒体４の表面を清掃して遊技者の不快感を軽減している。また、回転部材２０自体を払拭に適した材質で形成することによって遊技者の不快感を軽減することもできる。
【図面の簡単な説明】
【００３６】
【図１】本発明の遊技媒体搬送装置を示した要部概略平面図である。
【図２】本発明の遊技媒体搬送装置を示した要部水平方向断面である。
【図３】本発明の実施例１に係わる遊技媒体搬送装置を示した要部概略斜視図である。
【図４】本発明の遊技媒体搬送装置における別の回転部材を示した斜視図である。
【図５】本発明の遊技媒体搬送装置を配設した遊技機島を示した斜視図である。
【符号の説明】
【００３７】１００  遊技機島
１  遊技媒体搬送装置
１０  搬送路
１１  搬送路面
１２  傾斜面
１２ａ  頂辺
１２ｂ  下辺
１３  湾曲部
１４  揚送路
１５  分流ガイド
１６  払拭部材
１７  側壁
１７ａ  孔
２０  回転部材
２１  円柱本体
２２  回転軸
２３  軸受
２４  （遊技媒体搬送部である半円筒形状の）長溝
２５  回転翼
２６  空間
３０  駆動機構
３１  回転ギア
３２  回転ベルト
２  遊技機
３  遊技媒体貸機
４  遊技媒体
５  貯留タンク
６  補給シュート
【図１】
2007301334.tif 000003
【図２】
2007301334.tif 000004
【図３】
2007301334.tif 000005
【図４】
2007301334.tif 000006
【図５】
2007301334.tif 000007